(57)【特許請求の範囲】
【請求項１】
温室（１０）の内部柱の上部を水平に横切るトラスに配設される駆動手段（２０）と、前記駆動手段（２０）により昇降するように配設される複数の昇降手段（３０）及び前記各昇降手段（３０）に配設されて昇降する栽培ガター（４０）、（４０’）を備えてなる植物栽培システムにおいて、
前記駆動手段（２０）は、モーター（２１）と、前記モーター（２１）により回動可能なように配設される駆動軸（２２）と、前記駆動軸（２２）と直交するようにトラスの下側に前後に所定の間隔をあけて左右を横切るように配設される複数の従動軸（２４）と、前記駆動軸（２２）と従動軸（２４）が直交する個所にそれぞれ配設されて駆動軸（２２）の回転力を減速して伝達して従動軸（２４）を回転させるウォームギア減速機（２３）と、を備えてなり、
前記昇降手段（３０）は、前記従動軸（２４）に沿って所定間隔で固定され、外周面に巻取溝（３１１）が螺旋状に形成された複数のドラム（３１）と、中間部分を前記ドラム（３１）の各巻取溝（３１１）の中間に巻き戻し、左側部分（３２ａ）はドラム（３１）の左側の前側において下向きになり、且つ、右側部分（３２ｂ）はドラム（３１）の右側の後側において下向きになるように配設されるワイヤー（３２）と、「П」状を呈し、上片を前記ドラム（３１）が内部の上側に位置するようにドラム（３１）が配設されたトラスに取り付け、前後片の各下部には長孔（３３１）が水平に穿孔された支持台（３３）と、前記巻取溝（３１１）の左右において下向きになる左右側部分（３２ａ）、（３２ｂ）の間隔に対応する間隔で支持台（３３）の内側の左右に配設されて前記左右側部分（３２ａ）、（３２ｂ）を懸架し、各軸（３４１）の前後端はそれぞれ前記長孔（３３１）を貫通して前後片の前後方の左右に露出される第１の左右側の案内プーリー（３４）、（３４’）と、左右に前記第１の左右側の案内プーリー（３４）、（３４’）の各軸（３４１）の前後端がそれぞれ結合され、前記ワイヤー（３２）の巻き戻される位置が移動するのに伴い、前記第１の左右側の案内プーリー（３４）、（３４’）を同じ間隔を保持した状態で移動させる、プーリー支持板（３５）、（３５’）と、前記支持台（３３）の左右端から所定の間隔だけ離れるように各上端部をトラスに取り付ける左右ブラケット（３６）、（３６’）と、前記第１の左右側の案内プーリー（３４）、（３４’）よりも広い間隔で下方に位置するようにブラケットの各下端部に軸配設されて第１の左右側の案内プーリー（３４）、（３４’）を経た左右側部分（３２ａ）、（３２ｂ）を懸架する第２の左右側の案内プーリー（３７）、（３７’）と、を備えてなり、
前記栽培ガター（４０）は、ワイヤー（３２）の左側部分（３２ａ）の下端に結束して配設し、栽培ガター（４０’）は、ワイヤー（３２’）の右側部分（３２ｂ）の下端に結束して配設してなり、
前記従動軸（２４）は前記トラスと平行に配置され、
前記ドラム（３１）の中心軸は、前記従動軸（２４）の中心軸と同一であり、前記第１の左右側の案内プーリー（３４）、（３４’）の中心軸および前記第２の左右側の案内プーリー（３７）、（３７’）の中心軸と直交していることを特徴とする植物栽培システム。
【請求項２】
温室（１０）の内部柱の上側を水平に横切るトラスに配設される駆動手段（２０）と、前記駆動手段（２０）により昇降するように配設される複数の昇降手段（３０）及び前記各昇降手段（３０）に配設されて昇降する栽培ガター（４０）、（４０’）を備えてなる植物栽培システムにおいて、
前記駆動手段（２０）は、温室の内部の上側を左右に横切るようにトラスの下側に前後に所定の間隔をあけてそれぞれ配設される駆動軸（２２）と、前記駆動軸（２２）ごとにそれぞれ配設されるモーター（２１）と、を備えてなり、
前記昇降手段（３０）は、前記駆動軸（２２）に沿って所定間隔で固定され、外周面に巻取溝（３１１）が螺旋状に形成された複数のドラム（３１）と、中間部分を前記ドラム（３１）の巻取溝（３１１）の中間に巻き戻し、左側部分（３２ａ）は、ドラム（３１）の左側の前側において下向きになり、且つ、右側部分（３２ｂ）は、ドラム（３１）の右側の後側において下向きになるように配設するワイヤー（３２）と、「П」状を呈し、上片を前記ドラム（３１）が内部の上側に位置するようにドラム（３１）が配設されたトラスに取り付け、前後片の各下部には、長孔（３３１）が水平に穿孔された支持台（３３）と、前記巻取溝（３１１）の左右において下向きになる左右側部分（３２ａ）、（３２ｂ）の間隔に対応する間隔で支持台（３３）の内側の左右に配設されて前記左右側部分（３２ａ）、（３２ｂ）を懸架し、各軸（３４１）の前後端はそれぞれ前記長孔（３３１）を貫通して前後片の前後方の左右に露出される第１の左右側の案内プーリー（３４）、（３４’）と、左右に前記第１の左右側の案内プーリー（３４）、（３４’）の各軸（３４１）の前後端がそれぞれ軸結合され、前記ワイヤー（３２）の巻き戻される位置が移動するのに伴い、前記第１の左右側の案内プーリー（３４）、（３４’）を同じ間隔を保持した状態で移動させる、プーリー支持板（３５）、（３５’）と、前記支持台（３３）の左右端から所定の間隔で離れるように各上端部をトラスに取り付ける左右ブラケット（３６）、（３６’）と、前記第１の左右側の案内プーリー（３４）、（３４’）よりも広い間隔で下方に位置するようにブラケットの各下端部に軸配設されて第１の左右側の案内プーリー（３４）、（３４’）を経た左右側部分（３２ａ）、（３２ｂ）を懸架する第２の左右側の案内プーリー（３７）、（３７’）と、を備えてなり、
前記栽培ガター（４０）は、ワイヤー（３２）の左側部分（３２ａ）の下端に結束して配設し、栽培ガター（４０’）は、ワイヤー（３２’）の右側部分（３２ａ）、（３２ｂ）の下端に結束して配設してなり、
前記駆動軸（２２）は前記トラスと平行に配置され、
前記ドラム（３１）の中心軸は、前記駆動軸（２２）の中心軸と同一であり、前記第１の左右側の案内プーリー（３４）、（３４’）の中心軸および前記第２の左右側の案内プーリー（３７）、（３７’）の中心軸と直交していることを特徴とする植物栽培システム。
【発明の詳細な説明】
【技術分野】
【０００１】
本発明は、植物栽培システムに係り、さらに詳しくは、温室面積の全体を植物が栽培可能な空間として用いることにより、量産が可能になる植物栽培システムに関する。
【背景技術】
【０００２】
従来には、温室において土壌栽培や水耕栽培などを行うとき、播種や栽培管理または収穫をする作業者の通路として少なくとも温室面積の約半分を用いる必要があったため、栽培面積が半減され、これに伴い、生産量が大幅に減って、生産コストはもとより、消費物価の上昇が招かれ、その結果、生産者及び消費者の費用負担が増えてしまうなどの問題があった。
【０００３】
この理由から、本願出願人は、このような問題を解消するために、温室の上部を水平に横切るトラスに固設されるモーターと、前記モーターにより回転可能なように配設される駆動軸及び前記駆動軸と噛合するように水平に配設されるウォームギア減速機を有する駆動手段と、トラスの所定の位置に固設される複数のローラーハンガーと、前記ローラーハンガーの各下部に軸配設される上下ローラーと、前記上下ローラーの間を水平に貫通するように支持されて配設され、ウォームギア減速機の左端を右端に嵌着する左側移動パイプ及び前記上下ローラーの間を水平に貫通するように支持されて配設され、ウォームギア減速機の右端を左端に嵌着する右側移動パイプを有する移動部材と、前記左右側移動パイプが上側を通過するようにトラスに所定の間隔で固設される複数のハンガーと、前記ハンガーの各下端に軸配設されるスプロケットやプーリー及び前記ハンガーのうち隣り合う２つのハンガーを１組にして各組２つのハンガーの中間に相当する部分を左側または右側移動パイプに結束して固定し、結束して固定した部分を基準として下端に栽培ガターを付設する左側部分は左側位置ハンガーのスプロケットやプーリーの左側を経て下向きになるように懸架し、下端に栽培ガターを付設する右側部分は右側位置ハンガーのスプロケットやプーリーの右側を経て下向きになるように懸架する昇降チェーンやワイヤーを有する昇降部材と、を備えてなり、平常時には複数の栽培ガターがいずれも地面から所定の高さに位置するように所定の間隔で水平を維持するようにぶら下がっていて、播種や栽培管理または収穫をするために作業者の移動が必要になるときには、駆動手段を稼働して昇降部材を左側や右側に移動させると、複数の昇降部材が交互に一つは上昇し、次の一つは下降して、各昇降部材にぶら下がるように付設された複数の栽培ガターが一つずつ交互に上昇及び下降をするため、下降した栽培ガターの間には上昇した栽培ガターにより作業者が移動可能な通路が生成されることにより、温室の面積の全てが栽培面積として使用可能になって生産量が倍加される植物の大量栽培装置（特許文献１）を提案した。
【０００４】
しかしながら、このような先登録の植物の大量栽培装置は、左右の栽培ガターを交互に上昇及び下降させて、上昇した栽培ガターにより作業者が移動可能な通路を生成するために、複数のプーリーハンガーと左右側移動パイプ及びスプロケットやプーリーと昇降チェーンやワイヤーを用いるため、その構造が複雑であり、設置及びメンテナンスを行うことが非常に困難且つ煩雑であるという問題があるだけではく、昇降チェーンやワイヤーを複数のハンガーの各下端に軸配設されるスプロケットやプーリー及び前記ハンガーのうち隣り合う２つのハンガーを１組にして各組２つのハンガーの中間に相当する部分を左側または右側移動パイプに結束して固定し、結束して固定した部分を基準として下端に栽培ガターを付設する左側部分は左側位置ハンガーのスプロケットやプーリーの左側を経て下向きになるように懸架し、下端に栽培ガターを付設する右側部分は右側位置ハンガーのスプロケットやプーリーの右側を経て下向きになるように懸架するため、長尺な昇降チェーンやワイヤーを用いることを余儀なくされ、その結果、ガターの荷重による長さの変形などにより寿命の短縮を招かれてしまうという問題があった。
【先行技術文献】
【特許文献】
【０００５】
【特許文献１】韓国登録特許第１０−１２５１９０３号公報
【発明の概要】
【発明が解決しようとする課題】
【０００６】
本発明はこのような事情に鑑みてなされたものであり、その目的は、設置及びメンテナンスを行い易く、関連コストの負担が大幅に減るとともに、寿命の短縮を招かないことから長期に亘って使用可能な植物栽培システムを提供することである。
【課題を解決するための手段】
【０００７】
本発明は、このような目的を達成するために、温室の上部を水平に横切るトラスに左右に横切るように前後に所定の間隔をあけて配設され、モーター及び駆動軸を有する複数の駆動手段と、前記駆動軸に左右所定間隔で固定され、巻取溝が螺旋状に形成されたドラムと、中間部分を前記ドラムの各巻取溝の中間に巻き戻し、左側部分は前記ドラムの左側の前側において下向きになり、且つ、右側部分は前記ドラムの右側の後側において下向きになるように配設するワイヤーと、前記ワイヤーの左右側部分の間隔が広がるように上下から懸架する第１の左右側の案内プーリー及び第２の左右側の案内プーリーを有する昇降手段及び前記ワイヤーの左右側部分の下端に結束されて昇降手段により昇降する栽培ガターを備えてなり、平常時には複数の栽培ガターがいずれも地面から所定の高さに位置するように所定の間隔で水平を維持するようにぶら下がっていて、播種や栽培管理または収穫をするために作業者の移動が必要になるときには、駆動手段を稼働して昇降手段が複数の栽培ガターを一つずつ交互に上昇及び下降させて、下降した栽培ガターの間には上昇した栽培ガターにより作業者が移動可能な通路が生成されることにより、温室の面積の全てが栽培面積として使用可能になって生産量が倍加される植物栽培システムを提供する。
【発明の効果】
【０００８】
このような本発明の実施形態による植物栽培システムは、温室の面積を全て栽培面積として用いるところに特徴があり、設置及びメンテナンスを行い易く、関連コストの負担が大幅に減るとともに、寿命の短縮を招かないことから長期に亘って使用可能になるなどの効果が得られる。
【図面の簡単な説明】
【０００９】
【図１】本発明の第１の実施形態による植物栽培システムが配設された温室の一部を概略的に示す正面図である。
【図２】図１の植物栽培システムを概略的に示す側面図である。
【図３】図１の植物栽培システムを概略的に示す平面図である。
【図４】図１の一部を抜粋して拡大して示す正面図である。
【図５ａ】図４に示す一つの昇降手段を抜粋して拡大して示す正面図である。
【図５ｂ】図４に示す一つの昇降手段を抜粋して拡大して示す平面図である。
【図５ｃ】図４に示す一つの昇降手段を抜粋して拡大して示す側面図である。
【図６】本発明の第２の実施形態による植物栽培システムが配設された温室の一部を概略的に示す正面図である。
【図７】図６の植物栽培システムを概略的に示す側面図である。
【図８】図６の植物栽培システムを概略的に示す平面図である。
【図９】図６の一部を抜粋して拡大して示す正面図である。
【図１０】図９に示す一つの昇降手段を抜粋して拡大して示す正面図である。
【図１１】図６に示す一つのウォームギア減速機及び昇降手段を抜粋して拡大して示す側面図である。
【図１２】本発明の第３の実施形態による植物栽培システムが配設された温室の一部を概略的に示す正面図である。
【図１３】図１２の植物栽培システムを概略的に示す側面図である。
【図１４】図１２の植物栽培システムを概略的に示す平面図である。
【図１５】図１２の一部を抜粋して拡大して示す正面図である。
【図１６】図１５に示す駆動及び一つの昇降手段を抜粋して拡大して示す正面図である。
【発明を実施するための形態】
【００１０】
以下、添付図面に基づき、本発明の実施形態による植物栽培システムについて詳細に説明する。
【００１１】
図１は、本発明の第１の実施形態による植物栽培システムが配設された温室の一部を概略的に示す正面図であり、図２は、図１の植物栽培システムを概略的に示す側面図であり、図３は、図１の植物栽培システムを概略的に示す平面図であり、図４は、図１の一部を抜粋して拡大して示す正面図であり、図５ａから図５ｃは、図４に示す一つの昇降手段を抜粋して拡大して示す正面図と、平面図及び側面図である。
【００１２】
図１から図５ａ〜図５ｃの本発明の第１の実施形態による植物栽培システムは、一般的に汎用されている屋根構造１０ａをそのまま適用する温室１０の内部柱１１の上部を水平に横切るトラス１２に配設される駆動手段２０と、前記駆動手段により昇降するように配設される複数の昇降手段３０及び前記昇降手段の各左右にそれぞれぶら下がるように付設される栽培ガター４０、４０’を備えてなることを特徴とする。
【００１３】
駆動手段２０は、モーター２１と駆動軸２２及びウォームギア減速機２３と従動軸２４を備えてなる。
【００１４】
駆動軸２２は、温室１０の内部の上側を前後に横切るようにトラス１２の下側に配設されてモーター２１により回転され、ウォームギア減速機２３は、前記駆動軸と直交するようにトラスの下側に前後に所定の間隔をあけて左右を横切るように軸受け１３により設けられる複数の従動軸２４が互いに直交する個所にそれぞれ配設されて前記駆動軸の回転力を減速して伝達して従動軸を同時に回転させる。
【００１５】
ウォームギア減速機２３は、駆動軸２２と従動軸２４が互いに直交する個所にそれぞれ噛合するように固定されるウォームギア２３１、２３２と、上端をトラス１２に固定し、前記ウォームギアが取り外されないように緊合するケース２３３と、を備えてなる。
【００１６】
このため、駆動軸２２及び従動軸２４の各直交個所がウォームギア２３１、２３２とともにウォームギア減速機２３のケース２３３により取り囲まれるように緊合されるため、モーター２１及び前記駆動軸は従動軸とともに軸受け１３によりトラス１２に安定的に配設される。
【００１７】
0006425099.tif 000002
【００１８】
また、ワイヤー３２の左端及び右端は、それぞれ左側及び右側に位置する栽培ガター４０及び栽培ガター４０’に結束する。
【００１９】
このような構成を有する本発明の第１の実施形態による植物栽培システムは、温室の面積の全てを栽培面積として用いるように設置するものであり、平常時には、左右の栽培ガター４０、４０’を同じ高さに水平に位置させて、全ての植物に日光を均一に当てる。
【００２０】
このような状態で、播種や栽培管理または収穫などのための作業者の移動通路が必要になるときには、モーター２１を正駆動させてその回転力が駆動軸２２及びウォームギア減速機２３を経て従動軸２４に伝達されてドラム３１を正回転させると、ワイヤー３２の左側部分３２ａは巻取溝３１１に巻き戻されて栽培ガター４０が上昇するのに対し、右側部分３２ｂが繰り出されるため栽培ガター４０’は下降する。
【００２１】
このようになると、各上昇する栽培ガター４０と下降する栽培ガター４０’との間には、作業者が移動可能な通路が生成される。
【００２２】
このとき、各栽培ガター４０が上昇する高さは、作業者が立って移動するのに差し支えがないほどになり、下降する各栽培ガター４０’の高さは、作業者が楽な姿勢で播種や栽培管理または収穫などが行えるほどに調節すればよい。
【００２３】
また、播種や栽培管理または収穫などを終えた後に、作業者が温室から出た後にモーター２１を逆駆動してドラム３１を逆回転させると、ワイヤー３２の左側部分３２ａは巻取溝３１１から繰り出されるのに対し、右側部分３２ｂは巻き戻されるため、各組の左側栽培ガター４０は上昇し、右側栽培ガター４０’は下降する。
【００２４】
このようにして、各組の左右の栽培ガター４０、４０’の高さが等しい水平状態になると、モーター２１の駆動を止めることにより、全ての植物に日光が均一に当たって生長する。
【００２５】
一方、このような昇降作動過程において、巻取溝３１１に巻き戻されたり巻取溝３１１から繰り出されたりするワイヤー３２の左右側部分３２ａ、３２ｂは、それぞれ上側の第１の左右側の案内プーリー３４、３４’及び下側の第２の左右側の案内プーリー３７、３７’に懸架されて所定の間隔で離れて上昇または下降するように案内されるとともに、前記第１及び第２の左右側の案内プーリーがそれぞれワイヤーの左右側部分が巻取溝に巻き戻されたり巻取溝から繰り出されたりする位置に相当して前後に配設されているため、ワイヤーの左右側部分は常に正確に巻取溝に巻き戻されたり巻取溝から繰り出されたりする。
【００２６】
さらに、巻取溝３１１は螺旋状に形成され、第１の左右側の案内プーリー３４、３４’の間隔は前記巻取溝の中間に巻き戻されているワイヤー３２の中間部分の間隔に比例するため、前記ワイヤーの左側部分３２ａが巻取溝に巻き戻され、右側部分３２ｂが繰り出され、これに伴い、前記巻取溝に巻き戻される左側部分と繰り出される右側部分の位置は次第に左側に移動するのに対し、右側部分が巻き戻され、左側部分が繰り出されると、巻き戻される右側部分と繰り出される左側部分の位置は次第に右側に移動する。
【００２７】
このとき、第１の左右側の案内プーリー３４、３４’の軸３４１が長孔３３１を貫通して前後片の前後方の左右に露出されて前記各軸の前後端がそれぞれプーリー支持板３５、３５’に結合されているため、ワイヤー３２の左側部分３２ａが前記第１の左側案内プーリーに懸架されて上昇して巻取溝３１１に巻き戻される度に、その巻き戻される位置が左側に移動し、これに伴い、左側部分が前記第１の左側案内プーリーを左側に押しながら上昇するため、プーリー支持板３５、３５’により前記第１の右側案内プーリーが一緒に長孔３３１に沿って左側に移動し、このような動作により右側部分３２ｂが前記巻取溝に巻き戻されるときには、第１の左右側の案内プーリーが一緒に右側に移動するため、ワイヤーは巻取溝に常に同じ間隔で且つ正確に巻き戻されたり巻取溝から繰り出されたりする。
【００２８】
図６は、本発明の第２の実施形態による植物栽培システムが配設された温室の一部を概略的に示す正面図であり、図７は、図６の植物栽培システムを概略的に示す側面図であり、図８は、図６の植物栽培システムを概略的に示す平面図であり、図９は、図６の一部を抜粋して拡大して示す正面図であり、図１０は、図９に示す一つの昇降手段を抜粋して拡大して示す正面図であり、図１１は、図６に示す一つのウォームギア減速機及び昇降手段を抜粋して拡大して示す側面図である。
【００２９】
図６から図１１の本発明の第２の実施形態による植物栽培システムは、前記第１の実施形態でのように、一般に汎用されている屋根構造１０ａをそのまま適用する温室１０の内部柱１１の上部を水平に横切るトラス１２に配設される駆動手段２０と、前記駆動手段により昇降するように配設される複数の昇降手段３０及び前記昇降手段の各左右にそれぞれぶら下がるように付設される栽培ガター４０、４０’を備えてなることを特徴とする。
【００３０】
駆動手段２０は、モーター２１と駆動軸２２及びウォームギア減速機２３と従動軸２４を備えてなる。
【００３１】
駆動軸２２は、温室１０の内部の上側を前後に横切るようにトラス１２の下側に配設されてモーター２１により回転され、ウォームギア減速機２３は、前記駆動軸と直交するようにトラスの下側に前後に所定の間隔をあけて左右を横切るように軸受け１３により設けられる複数の従動軸２４が互いに直交する個所にそれぞれ配設されて前記駆動軸の回転力を減速して伝達して従動軸を同時に回転させる。
【００３２】
ウォームギア減速機２３は、駆動軸２２と従動軸２４が互いに直交する個所にそれぞれ噛合するように固定されるウォームギア２３１、２３２と、前記ウォームギアが取り外されないように緊合するケース２３３と、を備えてなる。
【００３３】
このため、駆動軸２２及び従動軸２４は、各直交個所がウォームギア２３１、２３２とともにウォームギア減速機２３のケース２３３により取り囲まれるように緊合されるため、モーター２１及び前記駆動軸は従動軸とともに軸受け１３によりトラス１２に安定的に配設される。
【００３４】
昇降手段３０は、各従動軸２４に左右所定間隔で固定され、外周面に巻取溝３１１が螺旋状に形成された複数のドラム３１と、前記ドラムのうち隣り合う２つを１組にして各組の左側位置ドラム３１ａの巻取溝に右端を固定する所定の長さのワイヤー３２と、右側位置ドラム３１ｂの巻取溝に左端を固定する所定の長さのワイヤー３２’と、を備えてなる。
【００３５】
また、各ワイヤー３２の左端は、左側に位置する栽培ガター４０に結束し、ワイヤー３２’の右端は、右側に位置する栽培ガター４０’に結束する。
【００３６】
このような構成を有する本発明の第２の実施形態による植物栽培システムは、温室の面積の全てを栽培面積として用いるように設置するものであり、平常時には、左右の栽培ガター４０、４０’を同じ高さに水平に位置させて、全ての植物に日光を均一に当てる。
【００３７】
このような状態で、播種や栽培管理または収穫などのための作業者の移動通路が必要になるときには、モーター２１を正駆動させてその回転力が駆動軸２２及びウォームギア減速機２３を経て従動軸２４に伝達されてドラム３１を正回転させると、ワイヤー３２の左側部分３２ａは巻取溝３１１に巻き戻されて栽培ガター４０が上昇するのに対し、右側部分２３ｂが繰り出されるため栽培ガター４０’は下降する。
【００３８】
各組の左側に相当するワイヤー３２が巻取溝３１１に巻き戻されて左端が結束された左側の栽培ガター４０は上昇するのに対し、右側に相当するワイヤー３２’は繰り出されて右側の栽培ガター４０’は下降する。
【００３９】
このようになると、各組の上昇する栽培ガター４０と下降する栽培ガター４０’との間には、作業者が移動可能な通路が生成される。
【００４０】
このとき、各栽培ガター４０が上昇する高さは、作業者が立って移動するのに差し支えがないほどになり、下降する各栽培ガター４０’の高さは、作業者が楽な姿勢で播種や栽培管理または収穫などが行えるほどに調節すればよい。
【００４１】
また、播種や栽培管理または収穫などを終えた後に、作業者が温室から出た後にモーター２１を逆駆動してドラム３１を逆回転させると、ワイヤー３２は、左側ドラム２１ａから繰り出されるのに対し、ワイヤー３２’は右側ドラム３１ｂに巻き戻されるため、各組の左側栽培ガター４０は下降し、右側栽培ガター４０’は上昇する。
【００４２】
このようにして、各組の左右の栽培ガター４０、４０’の高さが等しい水平状態になると、モーター２１の駆動を止めることにより、全ての植物に日光が均一に当たって生長する。
【００４３】
図１２は、本発明の第３の実施形態による植物栽培システムが配設された温室の一部を概略的に示す正面図であり、図１３は、図１２の植物栽培システムを概略的に示す側面図であり、図１４は、図１２の植物栽培システムを概略的に示す平面図であり、図１５は、図１２の一部を抜粋して拡大して示す正面図であり、図１６は、図１５に示す駆動及び一つの昇降手段を抜粋して拡大して示す正面図である。
【００４４】
図１２から図１６の本発明の第３の実施形態による植物栽培システムは、前記第１及び第２の実施形態でのように、一般的に汎用されている屋根構造１０ａをそのまま適用する温室１０の内部柱１１の上部を水平に横切るトラス１２に配設される駆動手段２０と、前記駆動手段により昇降するように配設される複数の昇降手段３０及び前記昇降手段の各左右にそれぞれぶら下がるように付設される栽培ガター４０、４０’を備えてなることを特徴とする。
【００４５】
駆動手段２０は、モーター２１と、駆動軸２２及び前記モーターに付設されて駆動力を変速させて駆動軸に伝達する変速機２１１を備えてなる。
【００４６】
駆動軸２２は、温室１０の内部の上側を左右に横切るようにトラス１２の下側に前後に所定の間隔をあけてそれぞれ軸受け１３により設けられ、モーター２１は、前記駆動軸を正逆転させるように駆動軸ごとにそれぞれ配設される。
【００４７】
0006425099.tif 000003
【００４８】
また、ワイヤー３２の左端及び右端はそれぞれ左側及び右側に位置する栽培ガター４０及び栽培ガター４０’に結束する。
【００４９】
このような構成を有する本発明の第３の実施形態による植物栽培システムは、温室の面積の全てを栽培面積として用いるように設置するものであり、平常時には、左右の栽培ガター４０、４０’を同じ高さに水平に位置させて、全ての植物に日光を均一に当てる。
【００５０】
このような状態で、播種や栽培管理または収穫などのための作業者の移動通路が必要になるときには、各モーター２１を同時に正駆動させてその回転力が変速機２１１により変速されて駆動軸２２に伝達されてドラム３１を正回転させると、ワイヤー３２の左側部分３２ａは巻取溝３１１に巻き戻されて栽培ガター４０が上昇するのに対し、右側部分３２ｂが繰り出されるため栽培ガター４０’は下降する。
【００５１】
このようになると、各上昇する栽培ガター４０と下降する栽培ガター４０’との間には、作業者が移動可能な通路が生成される。
【００５２】
このとき、各栽培ガター４０が上昇する高さは、作業者が立って移動するのに差し支えがないほどになり、下降する各栽培ガター４０’の高さは、作業者が楽な姿勢で播種や栽培管理または収穫などが行えるほどに調節すればよい。
【００５３】
また、播種や栽培管理または収穫などを終えた後に、作業者が温室から出た後にモーター２１を逆駆動してドラム３１を逆回転させると、ワイヤー３２の左側部分３２ａは巻取溝３１１から繰り出されるのに対し、右側部分３２ｂは巻き戻されるため、各組の左側栽培ガター４０は上昇し、右側栽培ガター４０’は下降する。
【００５４】
このようにして、各組の左右の栽培ガター４０、４０’の高さが等しい水平状態になると、モーター２１の駆動を止めることにより、全ての植物に日光が均一に当たって生長する。
【００５５】
一方、このような昇降作動過程において、巻取溝３１１に巻き戻されたり巻取溝３１１から繰り出されたりするワイヤー３２の左右側部分３２ａ、３２ｂは、それぞれ上側の第１の左右側の案内プーリー３４、３４’及び下側の第２の左右側の案内プーリー３７、３７’に懸架されて所定の間隔で離れて上昇または下降するように案内されるとともに、前記第１及び第２の左右側の案内プーリーがそれぞれワイヤーの左右側部分が巻取溝に巻き戻されたり巻取溝から繰り出されたりする位置に相当して前後に配設されているため、ワイヤーの左右側部分は常に正確に巻取溝に巻き戻されたり巻取溝から繰り出されたりする。
【００５６】
さらに、巻取溝３１１は螺旋状に形成され、第１の左右側の案内プーリー３４、３４’の間隔は前記巻取溝の中間に巻き戻されているワイヤー３２の中間部分の間隔に比例するため、前記ワイヤーの左側部分３２ａが巻取溝に巻き戻され、右側部分３２ｂが繰り出され、これに伴い、前記巻取溝に巻き戻される左側部分と繰り出される右側部分の位置は次第に左側に移動するのに対し、右側部分が巻き戻され、左側部分が繰り出されると、巻き戻される右側部分と繰り出される左側部分の位置は次第に右側に移動する。
【００５７】
このとき、第１の左右側の案内プーリー３４、３４’の軸３４１が長孔３３１を貫通して前後片の前後方の左右に露出されて前記各軸の前後端がそれぞれプーリー支持板３５、３５’に結合されているため、ワイヤー３２の左側部分３２ａが前記第１の左側案内プーリーに懸架されて上昇して巻取溝３１１に巻き戻される度に、その巻き戻される位置が左側に移動し、これに伴い、左側部分が前記第１の左側案内プーリーを左側に押しながら上昇するため、プーリー支持板３５、３５’により前記第１の右側案内プーリーが一緒に長孔３３１に沿って左側に移動し、このような動作により右側部分３２ｂが前記巻取溝に巻き戻されるときには、第１の左右側の案内プーリーが一緒に右側に移動するため、ワイヤーは巻取溝に常に同じ間隔で且つ正確に巻き戻されたり巻取溝から繰り出されたりする。
【００５８】
このように作動する本発明の第１乃至第３の実施形態による植物栽培システムは、温室の面積の全てを栽培面積として用いるため、収穫量が倍加されることを特徴とする。
【符号の説明】
【００５９】
１０：温室
２０：駆動手段
２２：駆動軸
２３：ウォームギア減速機
２４：従動軸
３０：昇降手段
３１：ドラム
３２、３２’：ワイヤー
３３：支持台
３４、３４’：第１の左右側の案内プーリー
３５：プーリー支持板
３７、３７’：第２の左右側の案内プーリー
４０、４０’：栽培ガター
【図１】
0006425099.tif 000004
【図２】
0006425099.tif 000005
【図３】
0006425099.tif 000006
【図４】
0006425099.tif 000007
【図５ａ】
0006425099.tif 000008
【図５ｂ】
0006425099.tif 000009
【図５ｃ】
0006425099.tif 000010
【図６】
0006425099.tif 000011
【図７】
0006425099.tif 000012
【図８】
0006425099.tif 000013
【図９】
0006425099.tif 000014
【図１０】
0006425099.tif 000015
【図１１】
0006425099.tif 000016
【図１２】
0006425099.tif 000017
【図１３】
0006425099.tif 000018
【図１４】
0006425099.tif 000019
【図１５】
0006425099.tif 000020
【図１６】
0006425099.tif 000021